(57)【要約】      （修正有）【課題】照光の際に押釦側面方向への光漏れが防止され、かつ押釦の天面部は偏光が無く天面部全体が均一に明るく光り、なおかつ隣合う押釦との照光の干渉が起こりにくい、視認性及び意匠性の向上したキー照光式に適した照光式押釦スイッチ用カバー部材を提供する。【解決手段】ベース部１８から上方に突設され光源の発光により照光される透光性押釦部２と、ベース部１８と透光性押釦部２を接続する可撓性薄肉部５とを有し、透光性押釦部２の底面部側に固定接点８に離接される可動接点６が設けられた照光式押釦スイッチ用カバー部材において、透光性押釦部２の底面部には、光源に対応した位置に凹陥部１９が設けられ、凹陥部１９は内側壁面と内天壁面とを有し、内側壁面には光源からの光を遮蔽する遮光層４が設けられ、内天壁面を介して透光性押釦部２に光源からの光が導かれるようにした照光式押釦スイッチ用カバー部材。【選択図】図１
2007080763.tif 000002
【特許請求の範囲】
【請求項１】
弾性材料で一体に成形された、回路基板上の固定接点及び光源の周囲を取り囲んで配置されるベース部と、該ベース部から上方に突設され前記光源の発光により照光される透光性押釦部と、前記ベース部と前記透光性押釦部を接続する可撓性薄肉部とを有し、
前記透光性押釦部は、前記可撓性薄肉部を介して前記回路基板に対して略垂直方向に移動可能で、且つ、前記可撓性薄肉部により前記回路基板に対して離間する方向に付勢されると共に、前記透光性押釦部には、底面部側に前記固定接点に離接される可動接点が設けられた照光式押釦スイッチ用カバー部材において、
前記透光性押釦部の底面部には、前記光源に対応した位置に凹陥部が設けられ、前記凹陥部は内側壁面と内天壁面とを有し、前記内側壁面には前記光源からの光を遮蔽する遮光層が設けられ、前記内天壁面を介して前記透光性押釦部に前記光源からの光が導かれるようにしたことを特徴とする照光式押釦スイッチ用カバー部材。
【請求項２】
前記内側壁面に設けられた前記光源からの光を遮蔽する遮光層は、白色の光反射層であることを特徴とする請求項１に記載の照光式押釦スイッチ用カバー部材。
【請求項３】
前記内側壁面に設けられた前記光源からの光を遮蔽する遮光層は、別途形成された筒状の遮光部材が、前記凹陥部内に配設されて形成されていることを特徴とする請求項１に記載の照光式押釦スイッチ用カバー部材。
【請求項４】
前記凹陥部には別途形成されたフランジ付筒状の遮光部材が該フランジ部を下にして配設され、前記遮光部材の筒状部が前記遮光層を構成すると共に、少なくとも前記フランジ部は導電性を有し、前記フランジ部が前記固定接点に離接される可動接点を構成していること特徴とする請求項１に記載の照光式押釦スイッチ用カバー部材。
【請求項５】
前記光源が拡散光光源である場合において、前記凹陥部の前記内天壁面は下方に向けて凸面を形成し、前記光源からの拡散光を前記透光性押釦部の天面部に向けて集光するように構成したこと特徴とする請求項１乃至４に記載の照光式押釦スイッチ用カバー部材。
【請求項６】
前記光源が平行光光源である場合において、前記凹陥部の前記内天壁面は下方に向けて凹面を形成し、前記光源からの平行光を前記透光性押釦部の天面部に向けて拡光するように構成したこと特徴とする請求項１乃至４に記載の照光式押釦スイッチ用カバー部材。
【請求項７】
請求項３又は４に記載の照光式押釦スイッチ用カバー部材の製造方法であって、前記遮光部材を予め金型内にセットした後、液状型の又はミラブル型未加硫ゴムを前記金型内に充填し、加熱硬化させ、前記ベース部と前記透光性押釦部とそれらを接続する前記可撓性薄肉部の成形と同時に、前記遮光部材を前記凹陥部内に一体にインサート成形することを特徴とする照光式押釦スイッチ用カバー部材の製造方法。
【請求項８】
請求項３又は４に記載の照光式押釦スイッチ用カバー部材の製造方法であって、前記遮光部材を予め金型内にセットした後、可塑化された熱可塑性エラストマーを前記金型内に充填し、冷却固化させ、前記ベース部と前記透光性押釦部とそれらを接続する前記可撓性薄肉部の成形と同時に、前記遮光部材を前記凹陥部内に一体にインサート成形することを特徴とする照光式押釦スイッチ用カバー部材の製造方法。
【発明の詳細な説明】
【技術分野】
【０００１】
この発明は、携帯電話機、自動車電話機等の移動体通信機器、計測機器、リモートコントローラ、ハンディターミナル等のデータ入力装置やスイッチ装置、その他の家電、電子、通信等の分野の各種入力装置等に用いられる照光式押釦スイッチ用カバー部材であって、特に視認性の向上及び意匠面の観点から、キー側面方向への光漏れが防止されつつ、キーの天面部は偏光が無く天面部全体が均一に明るく光り、かつ隣接するキーを異なる色で照光しても光の干渉が起きにくい、照光式押釦スイッチ用カバー部材及びその製造方法に関するものである。
【背景技術】
【０００２】
従来、車載機等の入力装置に使用される照光式押釦スイッチでは、例えば図８に示したように、基板上に設けた発光ダイオード７を可動接点を具備する導光性ラバーシートで押さえ、押釦側には拡散板２２を設けて光りを導きつつ、隣合う押釦との間には仕切壁２０を設け、仕切壁２０の下端部分を遮光部とすることで、複数のスイッチ部間における照射光の干渉を防止していた。（特許文献１を参照）。
【０００３】
しかしながら、この従来の照光式押釦スイッチは、導光性ラバーシートを介して光の干渉が起きやすい反面、キートップに届く光量は充分でなく、明るいキー照光とするのが困難であり、更に構造が複雑で、量産性が悪く製造コストも割高となる欠点があった。
【０００４】
また、より小型の携帯電話機等に使用される照光式押釦スイッチでは、例えば図９に示したように、可動接点を具備する導光性ラバーシートの下側に光源を設けると共に、当該導光性ラバーシートの表面側に遮光層４を形成し、該遮光層４にレーザー加工により文字、記号等の切り抜き標識を形成し、いわゆる文字照光ラバースイッチとしていた。（特許文献２を参照）。
【０００５】
しかしながら、この従来の照光式押釦スイッチにおいては、文字照光ラバースイッチとしての性能は満足しても、キー照光とすべく、押釦天面部の遮光層全体を切り抜くと、光源が発光点となって見えてしまい、意匠面で満足出来るものではなく、更に隣接する押釦との光の干渉も防止できるものではなかった。
【０００６】
また、多色照光スイッチの色毎の偏光を防止すべく、例えば図１０に示したように、複数のベアチップＬＥＤ２３を光拡散剤が混入された透明の封止樹脂で半球状に封止して光を拡散し、照光の際のキートップにおける偏光を解消していた。（特許文献３を参照）。
【０００７】
しかし、特許文献３の発明では、一つのキートップにおける色毎の偏光は防止できるが、隣合う押釦との光の干渉防止については、何等の解決もなされていなかった。
【特許文献１】特開平１０−２７５５３５号公報
【特許文献２】実開平３−１１０７２９号公報
【特許文献３】特開平７−３２０５８５号公報
【発明の開示】
【発明が解決しようとする課題】
【０００８】
そこで、本発明が解決しようとする課題は、照光式押釦スイッチ用カバー部材であって、照光の際に押釦側面方向への光漏れが防止され、かつ押釦の天面部は偏光が無く天面部全体が均一に明るく光ると共に、隣合う押釦同士は光の干渉が起こりにくい、視認性及び意匠性が向上した、キー照光式に適した照光式押釦スイッチ用カバー部材を提供することを課題としている。
【０００９】
また、弾性材料で成形された押釦に特有の柔軟な触感やクリック感触を維持しつつ、過剰な押釦の押圧に対して、押釦の変形による筐体ケース下面への潜り込み防止や、光源への接触による機器の損傷を防止することが可能となる、耐久性に優れた照光式押釦スイッチ用カバー部材を提供することを課題としている。
【００１０】
そして前記のような照光式押釦スイッチ用カバー部材を容易に低コストで生産することを可能とする製造方法の提供を課題としている。
【課題を解決するための手段】
【００１１】
かかる課題を達成するため、請求項１に記載の発明は、弾性材料で一体に成形された、回路基板上の固定接点及び光源の周囲を取り囲んで配置されるベース部と、該ベース部から上方に突設され前記光源の発光により照光される透光性押釦部と、前記ベース部と前記透光性押釦部を接続する可撓性薄肉部とを有し、前記透光性押釦部は、前記可撓性薄肉部を介して前記回路基板に対して略垂直方向に移動可能で、且つ、前記可撓性薄肉部により前記回路基板に対して離間する方向に付勢されると共に、前記透光性押釦部には、底面部側に前記固定接点に離接される可動接点が設けられた照光式押釦スイッチ用カバー部材において、前記透光性押釦部の底面部には、前記光源に対応した位置に凹陥部が設けられ、前記凹陥部は内側壁面と内天壁面とを有し、前記内側壁面には前記光源からの光を遮蔽する遮光層が設けられ、前記内天壁面を介して前記透光性押釦部に前記光源からの光が導かれるようにした照光式押釦スイッチ用カバー部材を特徴としている。
【００１２】
請求項２に記載の発明は、請求項１に記載の構成に加えて、前記内側壁面に設けられた前記光源からの光を遮蔽する遮光層は、白色の光反射層である照光式押釦スイッチ用カバー部材を特徴としている。
【００１３】
請求項３に記載の発明は、請求項１に記載の構成に加えて、前記内側壁面に設けられた前記光源からの光を遮蔽する遮光層は、別途形成された筒状の遮光部材が、前記凹陥部内に配設されて形成されている照光式押釦スイッチ用カバー部材を特徴としている。
【００１４】
請求項４に記載の発明は、請求項１に記載の構成に加えて、前記凹陥部には別途形成されたフランジ付筒状の遮光部材が該フランジ部を下にして配設され、前記遮光部材の筒状部が前記遮光層を構成すると共に、少なくとも前記フランジ部は導電性を有し、前記フランジ部が前記固定接点に離接される可動接点を構成している照光式押釦スイッチ用カバー部材を特徴としている。
【００１５】
請求項５に記載の発明は、請求項１乃至４に記載の構成に加え、前記光源が拡散光光源である場合において、前記凹陥部の前記内天壁面は下方に向けて凸面を形成し、前記光源からの拡散光を前記透光性押釦部の天面部に向けて集光するように構成した照光式押釦スイッチ用カバー部材を特徴としている。
【００１６】
請求項６に記載の発明は、請求項１乃至４に記載の構成に加え、前記光源が平行光光源である場合において、前記凹陥部の前記内天壁面は下方に向けて凹面を形成し、前記光源からの平行光を前記透光性押釦部の天面部に向けて拡光するように構成した照光式押釦スイッチ用カバー部材を特徴としている。
【００１７】
請求項７に記載の発明は、請求項３又は４に記載の照光式押釦スイッチ用カバー部材の製造方法であって、前記遮光部材を予め金型内にセットした後、液状型の又はミラブル型未加硫ゴムを前記金型内に充填し、加熱硬化させ、前記ベース部と前記透光性押釦部とそれらを接続する前記可撓性薄肉部の成形と同時に、前記遮光部材を前記凹陥部内に一体にインサート成形することを特徴とする照光式押釦スイッチ用カバー部材の製造方法を特徴としている。
【００１８】
請求項８に記載の発明は、請求項３又は４に記載の照光式押釦スイッチ用カバー部材の製造方法であって、前記遮光部材を予め金型内にセットした後、可塑化された熱可塑性エラストマーを前記金型内に充填し、冷却固化させ、前記ベース部と前記透光性押釦部とそれらを接続する前記可撓性薄肉部の成形と同時に、前記遮光部材を前記凹陥部内に一体にインサート成形することを特徴とする照光式押釦スイッチ用カバー部材の製造方法を特徴としている。
【発明の効果】
【００１９】
請求項１に記載の照光式押釦スイッチ用カバー部材によれば、透光性押釦部の底面部の光源に対応した位置に凹陥部が設けられ、凹陥部は内側壁面と内天壁面とを有し、内側壁面には前記光源からの光を遮蔽する遮光層が設けられ、内天壁面を介した光のみ透光性押釦部に導かれるから、透光性押釦部の側面方向に向かう光は遮光層により遮光され、内天壁面を介して透光性押釦部入射した光のみが透光性押釦の天面部に届くことになるので、明るい拡散光光源を用いても押釦側面方向への光は遮蔽され、押釦の天面部だけが均一に明るく光り、なおかつ隣合う押釦との照光の干渉が起こりにくい、視認性及び意匠性の向上した照光式押釦スイッチ用カバー部材が提供できる。
【００２０】
請求項２に記載の照光式押釦スイッチ用カバー部材によれば、請求項１に記載の発明の効果に加え、内側壁面に設けられた遮光層は、白色の光反射層としているので、ベアチップＬＥＤのように偏光し易い光源を使用しても、光は反射層で均一に拡散されるため偏光がなくなり、押釦は効率よく均一に照光される照光式押釦スイッチ用カバー部材が提供できる。
【００２１】
請求項３に記載の照光式押釦スイッチ用カバー部材によれば、請求項１に記載の発明の効果に加え、遮光層は別途形成された筒状の遮光部材を凹陥部内に配設しているから、硬質材質の遮光層とすることが可能となり、過剰な押釦の押圧に対して、押釦の変形による筐体ケース下面への潜り込みや、光源への接触による機器の破損が防止され、耐久性に優れたキー照光式に適した照光式押釦スイッチ用カバー部材が提供できる。
【００２２】
請求項４に記載の照光式押釦スイッチ用カバー部材によれば、請求項１に記載の発明の効果に加え、凹陥部には別途形成されたフランジ付筒状の遮光部材が該フランジ部を下にして配設され、少なくともフランジ部は導電性を有しているから、過剰な押釦の押圧に対し押釦の変形が防止されると共に、遮光部材の作製と同時に可動接点が作製される、耐久性に優れる製造が容易なキー照光式に適した照光式押釦スイッチ用カバー部材が提供できる。
【００２３】
請求項５に記載の照光式押釦スイッチ用カバー部材によれば、請求項１乃至４に記載の発明の効果に加え、凹陥部の内天壁面は下方に向けて凸面を形成し、光源からの拡散光を透光性押釦部の天面部に向けて集光するから、押釦天面に偏光がなく、押釦天面が効率よく均一に照光されるキー照光式に適した照光式押釦スイッチ用カバー部材が提供できる。
【００２４】
請求項６に記載の照光式押釦スイッチ用カバー部材によれば、請求項１乃至４に記載の発明の効果に加え、凹陥部の内天壁面は下方に向けて凹面を形成し、光源からの平行光を透光性押釦部の天面部に向けて拡光するから、方向性をもつ平行光線を発する光源を使用しても、光源が点で発光して見える事がなく、押釦天面が均一に照光されたキー照光式に適した照光式押釦スイッチ用カバー部材が提供できる。
【００２５】
請求項７又は８に記載の照光式押釦スイッチ用カバー部材の製造方法によれば、請求項３又は４に記載の効果を有する、過剰な押釦の押圧に対し押釦の変形が防止された耐久性に優れるキー照光式に適した照光式押釦スイッチ用カバー部材を容易に製造することができる。
【発明を実施するための最良の形態】
【００２６】
以下、この発明の実施の形態について図１乃至図７によって詳細に説明する。
【実施例１】
【００２７】
図１は、この発明に係る照光式押釦スイッチ用カバー部材の実施の形態１を示している。図１はその要部縦断面図である。
【００２８】
この発明に係る照光式押釦スイッチ用カバー部材は、薄肉可撓部５を介し回路基板１７に接するベース部１８と透光性押釦部２とが、弾性材料で一体に成形されている。透光性押釦部２の底面部には可動接点６が配置され、透光性押釦部２を押圧して固定接点８が配置されている回路基板１７の方向に可動させると、薄肉可撓部５が座屈し、クリック感が発生し、その直後可動接点６と固定接点８が接触し、回路基板１７上の固定接点パターンが電気的に閉じ、導通する。
【００２９】
係る照光式押釦スイッチ用カバー部材の成形に使われる弾性材料としては、シリコーンゴム、イソプレンゴム、ブタジエンゴム、クロロプレンゴム、天然ゴム等の熱硬化性ゴム、及び、ポリウレタン系、ポリスチレン系、ポリオレフィン系、フッ素系、ポリエステル系の熱可塑性エラストマーを用いることができる。それらの中でも、シリコーンゴム、ポリスチレン系熱可塑性エラストマー、ポリエステル系熱可塑性エラストマーが、反発弾性が良く、圧縮永久歪みが小さいので、より好適に用いられる。
【００３０】
係る弾性材料の硬度は、好適なクリック感触を得るために、デュロメータータイプＡ硬度で４０度〜８０度が好ましい。薄肉可撓部５の設計にもよるが、より好ましくは５０度〜７０度である。
【００３１】
可動接点６に使用される材料としては、一般的な金属接点以外にも、酸化されにくい導電性物質の粉末等をポリエステル系バインダー等に分散したものを塗布して可動接点６とすることができる。例えば、カーボン、金、銀、銅、等のペーストが使用できる。この中でも、廉価で空気酸化等による抵抗変化の少ない、アセチレンブラックやケッチェンブラック等の導電性カーボンブラックのペーストが好ましい。また、照光式押釦スイッチ用カバー部材本体の成形に使われる弾性材料と同種の材料に、上記導電性粉末を１０乃至３０質量％程度練り込んだ導電性弾性材料を使用しても良い。同種の材料をバインダーとして採用することにより接着信頼性が確保される。
【００３２】
遮光層４（光反射層４）に使用される材料としては、有機材料に遮光性や反射性の特性を付与する顔料等の無機物資を練り込んだものが使用できる。
【００３３】
例えば、成形に使われる弾性材料と同種の材料に、遮光特性を付与するにはカーボンブラック、遮光特性と合わせて反射特性を付与するにはルチル型酸化チタン、アナタース型酸化チタン、硫化亜鉛、マイカ、パール顔料等の隠蔽性の高い白色の顔料を練り込んだ材料を使用する。
【００３４】
可動接点６、遮光層４（光反射層４）を一体に取り付けるには、成形に使われる弾性材料と同種の材料をバインダーとする材料であれば、予め作製しておいた部材を金型にインサートしておく、あるいはペースト状にした材料を金型に塗布しておき、成形により一体化すればよい。成形後に透光性押釦部２に接着することも可能である、また、所定のインクあるいはペーストとしておき、塗布することにより形成してもよい。異種の材料をバインダーとして選択する場合にはプライマー処理、表面処理等を施すことにより、接着一体化される。
【００３５】
可動接点６に使用する材料の硬度としては、透光性押釦部２と同程度のものを用いることができる。デュロメータータイプＡ硬度で４０度〜８０度のものは、接点の間に異物を咬み込んだ場合の耐異物性が良好であり、スイッチの電気的接続の信頼性を確保できる。
【００３６】
光源としては一般に知られたものを用いることができるが、発光波長が豊富で消費電力が小さく発熱が少ない等の利点から、発光ダイオード７が好ましく用いられる。また、小型化に対応してスペースを活用するには、一つの光源の光を、光ファイバー１１を用いて各透光性押釦部２に分配するような光源方式としてもよい。光ファイバーの光は、方向性をもつ平行光線となるので、光漏れを防止し易く、透光性押釦部２との位置関係について自由度が高くなる。
【００３７】
押釦側面からの光漏れを防止するためには、光源から照射される光の大半が透光性押釦部２の内部に照射されるように光源が配置されなくてはならない。
【００３８】
照射光に方向性をもつ光源であれば、照射方向さえ調製すれば、光源を透光性押釦部２から離して配置することも可能である。拡散光光源の場合、透光性押釦部２の底面側に設けられた凹陥部１９の中（遮光層４の内側）に光源を配置しなくてはならない、この場合、透光性押釦部２の押圧時に凹陥部１９の内側壁面、内天壁面に光源が接触しないように、凹陥部１９の大きさは、光源の大きさと押釦のストローク及び弾性体からなる押釦の圧縮を考慮し、光源が進入自在となる大きさと深さに設定する。
【００３９】
更に、図１において矢印ａで示す方向、透光性押釦部２の側面から光が漏れ、筐体９と透光性押釦部２の間から発光して見えてしまうとデザイン的に許されない場合がある。実施の形態１では、凹陥部１９の内天壁面を下方に凸の曲面である凸面部３（レンズ形状）として、内天壁面の凸面部３を通過する光を強制的に透光性押釦部２の天面部方向に向けさせ、透光性押釦部２の側面からの光漏れを防止している。凸面部３の曲率は、透光性押釦部２をシリコーンゴムで成形する場合、シリコーンゴムの屈折率はガラスに近い屈折率であるので（ガラス１．５１、シリコーンゴム１．４〜１．５位）、ガラスレンズの焦点設計を参考にして、押釦天面部全体を照光するように透光性押釦部２の高さとの兼ね合いで凸面部３の曲率を決定すれば良い。
【実施例２】
【００４０】
図２は、この発明に係る照光式押釦スイッチ用カバー部材の実施の形態２を示している。図２はその要部縦断面図である。
【００４１】
実施の形態２は、光源に、発光ダイオード７に代えて、光ファイバー１１を使用した実施の形態である。
【００４２】
光ファイバーを光源に用いる場合には、高さの調節が容易であり、光は平行光線に近いから、回路基板１７の下から配線した光ファイバー１１を透光性押釦部２の直下に配置すればよく、遮光層４に囲まれる領域外に配置することができ、効率良く透光性押釦部２を照光することが可能となる。一方で、内天壁面に余り近づけると透光性押釦部２の天面部が均一に光らず光源が点で見えてしまうので注意しなくてはならない。
【００４３】
そこで、実施の形態２では、凹陥部１９の内天壁面の形状を下方に凹の凹面部１２（拡光部）として、光ファイバー１１からの平行光線を透光性押釦部２の天面全体に拡光させるようにしている。その他は実施の形態１と同様である。
【実施例３】
【００４４】
図３は、この発明に係る照光式押釦スイッチ用カバー部材の実施の形態３を示している。図３はその要部縦断面図である。
【００４５】
実施の形態３は、遮光層４に特徴を有し、遮光層４（光反射層４）として筒状遮光部材１３が、凹陥部１９にインサート成形されている。
筒状遮光部材１３は、凹陥部１９の内側にぴったり入る大きさに作製された、図７示すように単純な筒型の部材である。その材質は、遮光性あるいは光反射性を有するものであれば、材質は特に問わない。
【００４６】
例えば、照光式押釦スイッチ用カバー部材本体の成形に使われる弾性材料と同種の材料に、遮光特性を付与するカーボンブラック、反射特性を付与するにはルチル型酸化チタン、アナタース型酸化チタン、硫化亜鉛、マイカ、パール顔料等の隠蔽性の高い白色の顔料を配合し筒状に成形したもの、ポリオレフィンやポリエステル系の熱可塑性樹脂、あるいは熱硬化性樹脂に上記顔料を配合し筒状に成形したもの、又は、金属製の筒等を用いることができる。
【００４７】
筒状遮光部材１３に照光式押釦スイッチ用カバー部材本体の成形に使われる弾性材料よりも硬い材質を用いることにより、弾性体からなる押釦部の圧縮を小さくして押釦スイッチのストロークや過剰な変形を制御することが可能となる。すなわち、押釦部材のクリック感触を維持しつつ、押釦部の圧縮を局所的に抑えることができるため、過剰なスイッチ押圧による押釦の筐体ケース下面への潜り込み防止や、押釦部の光源への接触による機器の損傷を防ぐことが可能となる。
【００４８】
なお、硬質材料からなる筒状遮光部材１３を用いる場合には、接点の信頼性を確保するため、筒状遮光部材１３の下端面は可動接点６の下面よりも上側（押釦側）に形成されるべきである。同程度の硬度の材質であれば、可動接点６の接触面と同一面に筒状遮光部材１３の下端面が形成されていても良い。その他は実施の形態１と同様である。
【実施例４】
【００４９】
図４は、この発明に係る照光式押釦スイッチ用カバー部材の実施の形態４を示している。図４はその要部縦断面図である。
【００５０】
実施の形態４は、遮光層４及び可動接点６に特徴を有し、遮光層４と可動接点６を兼ねる図６に示すフランジ付筒状遮光部材１４が、凹陥部１９にインサート成形されている。少なくともフランジ部１６は導電性を有しており、可動接点として機能する。
【００５１】
フランジ付筒状遮光部材１４の材質等は筒状遮光部材１３と同様であるが、樹脂材料製の場合は導電性を付与するため、導電性カーボンブラックを配合した材料で成形する。隠蔽性の白色顔料を配合した材料の場合、フランジ部１６の固定接点８側に導電性のペースト等を塗布しておく。その他は実施の形態１と同様である。
【図面の簡単な説明】
【００５２】
【図１】この発明に係る照光式押釦スイッチ用カバー部材の実施の形態１に係る態様を示した要部縦断面図である。
【図２】この発明に係る照光式押釦スイッチ用カバー部材の実施の形態２に係る態様を示した要部縦断面図である。
【図３】この発明に係る照光式押釦スイッチ用カバー部材の実施の形態３に係る態様を示した要部縦断面図である。
【図４】この発明に係る照光式押釦スイッチ用カバー部材の実施の形態４に係る態様を示した要部縦断面図である。
【図５】実施の形態４において、透光性キートップ部材１５を付加した実施の形態を示す要部縦断面図である。
【図６】フランジ付筒状遮光部材１４の斜視図である。
【図７】筒状遮光部材１３の斜視図である。
【図８】従来の仕切壁２０と拡散板２２を用いた照光式押釦スイッチを示した要部縦断面図である。
【図９】従来の遮光層を押釦表面に用いた文字照光式押釦スイッチを示した要部縦断面図である。
【図１０】従来のベアチップＬＥＤを用いた照光式押釦スイッチを示した要部縦断面図である
【符号の説明】
【００５３】
１  照光式押釦スイッチ用カバー部材
２  透光性押釦部
３  凸面部（集光部）
４  遮光層（光反射層）
５  薄肉可撓部
６  可動接点
７  発光ダイオード
８  固定接点
９  筐体（不透光性ケース）
１０加飾部（文字図形）
１１光ファイバー
１２凹面部（拡光部）
１３筒状遮光部材
１４フランジ付筒状遮光部材
１５透光性キートップ部材
１６フランジ部
１７回路基板
１８ベース部
１９凹陥部
２０遮光性仕切壁
２２拡散板
２３一括封止されたベアチップＬＥＤ
【図１】
2007080763.tif 000003
【図２】
2007080763.tif 000004
【図３】
2007080763.tif 000005
【図４】
2007080763.tif 000006
【図５】
2007080763.tif 000007
【図６】
2007080763.tif 000008
【図７】
2007080763.tif 000009
【図８】
2007080763.tif 000010
【図９】
2007080763.tif 000011
【図１０】
2007080763.tif 000012